(57)【要約】      （修正有）【課題】簡易な構造で且つ容易に室内の密閉を実現可能な圧力調整ルームを提供する。【解決手段】室と、開口部２２の周囲に配置されるシール部３と、開状態の位置と閉状態の位置と密閉状態の位置との間を移動可能な扉４と、開状態の位置と閉状態の位置とを繋ぐ経路に沿った第一方向に扉４を移動させる第一スライド機構５と、閉状態の位置と密閉状態の位置とを繋ぐ経路に沿った第二方向Ｂに扉４を移動させる第二スライド機構６と、扉４を案内するガイドレール７と、を備え、ガイドレール７は、第一方向に沿って形成されると共に扉４を第一方向へ案内する第一ガイド部と、第二方向Ｂに突出して形成されると共に扉４を前記第二方向へ案内してシール部３に密着させる第二ガイド部と、を有し、シール部３に密着した扉４が、変圧時の圧力変化によりシール部３を圧迫するように構成されている。【選択図】図３
2018003281.tif 000002
【特許請求の範囲】
【請求項１】
室の内部が変圧される圧力調整ルームであって、
前記室の開口部の周囲に配置されるシール部と、前記開口部を開放する開状態の位置と前記開口部を塞ぐ閉状態の位置と前記シール部に密着して前記室を密閉させる密閉状態の位置との間を移動可能な扉と、前記開状態の位置と前記閉状態の位置とを繋ぐ経路に沿った第一方向に前記扉を移動させる第一スライド機構と、前記閉状態の位置と前記密閉状態の位置とを繋ぐ経路に沿った第二方向に前記扉を移動させる第二スライド機構と、前記扉の移動を案内するガイド機構と、を備え、
前記ガイド機構は、前記第一方向に沿って形成されると共に前記扉を前記第一方向へ案内する第一ガイド部と、前記第二方向に突出して形成されると共に前記扉を前記第二方向へ案内して前記シール部に密着させる第二ガイド部と、を有し、
前記シール部に密着した前記扉が、変圧時の圧力変化により前記シール部を圧迫するように構成されている圧力調整ルーム。
【請求項２】
前記扉は、吊り下げ支持されると共に前記第一ガイド部及び前記第二ガイド部に接触可能なガイドローラを有し、
前記ガイド機構は、前記ガイドローラを挟んで前記シール部とは反対側の位置にガイド壁を有し、
前記ガイドローラは、前記ガイド壁に接触しつつ当該ガイド壁に沿って転動するように構成されている請求項１に記載の圧力調整ルーム。
【請求項３】
前記第一ガイド部は、前記第一方向に沿って形成される第一ガイド壁を有し、
前記第二ガイド部は、前記第二方向に傾斜して形成される第二ガイド壁を有する請求項２に記載の圧力調整ルーム。
【請求項４】
前記扉は、前記室の内部に配置される内側扉と、前記室の外部に配置される外側扉と、を有し、
前記内側扉と前記外側扉とは、変圧時において前記第二方向を移動する際に互いに同一側に移動するように構成されている請求項１から３のいずれか一項に記載の圧力調整ルーム。
【請求項５】
前記開口部の外周を覆う拘束部材を更に備えた請求項１から４のいずれか一項に記載の圧力調整ルーム。
【請求項６】
各別に設けられたボンベを用いて酸素及び窒素を前記室内に充満させることにより前記室内を加圧するように構成されている請求項１から５のいずれか一項に記載の圧力調整ルーム。
【発明の詳細な説明】
【技術分野】
【０００１】
本発明は、室の内部が変圧される圧力調整ルームに関する。
【背景技術】
【０００２】
上記のような圧力調整ルームにおいて、室内の密閉は必須の要件である。圧力調整ルームに用いられる扉としてはヒンジ式のものが多く、開口部の周囲に設けられたシール部材を、閉まる扉が圧迫することにより室内の密閉を果たす。しかし、ヒンジ式の扉では、扉が開く方向にスペースを要するから、スペースの有効活用が図れない。一方、例えば特許文献１に開示されているように、スライド式の扉を用いた圧力調整ルームが既に知られている。
【０００３】
特許文献１は、室の出入口の周囲に埋設されたシール体と、当該シール体を室の内側から外側に押し出す押圧基盤と、回転運動により押圧基盤を室の内側から外側に移動させる複数の偏心カムと、当該複数の偏心カムを操作する操作レバーと、を有しており、当該操作レバーを操作することでシール体を室の外側に繰出し可能に構成されている。特許文献１では、扉がスライドして出入口枠体の正面位置に位置したときに、操作レバーを操作してシール体を扉方向に繰出すことで扉とシール体とを圧接し、室内の密閉を果たしている。
【先行技術文献】
【特許文献】
【０００４】
【特許文献１】実公昭６３−０００２６２号公報
【発明の概要】
【発明が解決しようとする課題】
【０００５】
特許文献１によれば、スライド式の扉を用いているので、ヒンジ式の扉のように開く方向にスペースを要さず、スペースの有効活用が可能となる。しかし、特許文献１によれば、室内の密閉を果たすために、操作レバーを操作する手間がかかる上、その構造も複雑なものとなっている。
【０００６】
そこで、本発明は、簡易な構造で且つ容易に室内の密閉を実現可能な圧力調整ルームの提供を目的とする。
【課題を解決するための手段】
【０００７】
本開示に係る圧力調整ルームの特徴構成は、室の内部が変圧される圧力調整ルームであって、前記室の開口部の周囲に配置されるシール部と、前記開口部を開放する開状態の位置と前記開口部を塞ぐ閉状態の位置と前記シール部に密着して前記室を密閉させる密閉状態の位置との間を移動可能な扉と、前記開状態の位置と前記閉状態の位置とを繋ぐ経路に沿った第一方向に前記扉を移動させる第一スライド機構と、前記閉状態の位置と前記密閉状態の位置とを繋ぐ経路に沿った第二方向に前記扉を移動させる第二スライド機構と、前記扉の移動を案内するガイド機構と、を備え、前記ガイド機構は、前記第一方向に沿って形成されると共に前記扉を前記第一方向へ案内する第一ガイド部と、前記第二方向に突出して形成されると共に前記扉を前記第二方向へ案内して前記シール部に密着させる第二ガイド部と、を有し、前記シール部に密着した前記扉が、変圧時の圧力変化により前記シール部を圧迫するように構成されている点にある。
【０００８】
本構成によれば、扉は、開状態の位置で室の開口部を開放し、閉状態の位置で室の開口部を塞ぎ、密閉状態の位置でシール部に密着して室を密閉させる。そして、扉は、ガイド機構の第一ガイド部により第一方向へ案内されると共に第一スライド機構により開状態の位置と閉状態の位置とを移動する。また、扉は、ガイド機構の第二ガイド部により第二方向に案内されると共に第二スライド機構により移動してシール部に密着し、更に、扉は、変圧時の圧力変化によりシール部を圧迫すると共に室を密閉させる。すなわち、第一方向及び第二方向に扉を案内するガイド機構により、扉をスライドさせる一連の流れで扉をシール部に密着させ、且つ室の内部を変圧して扉をシール部に圧迫させることで、容易に室の密閉を実現できる。従って、本構成に係る圧力調整ルームは、簡易な構造で且つ容易に室内を密閉することができる。
【０００９】
また、前記扉は、吊り下げ支持されると共に前記第一ガイド部及び前記第二ガイド部に接触可能なガイドローラを有し、前記ガイド機構は、前記ガイドローラを挟んで前記シール部とは反対側の位置にガイド壁を有し、前記ガイドローラは、前記ガイド壁に接触しつつ当該ガイド壁に沿って転動するように構成されていると好適である。
【００１０】
本構成によれば、ガイドローラは、当該ガイドローラを挟んでシール部とは反対側に位置するガイド壁に接触しながら転動することができる。つまり、シール部と扉とが離間した状態で、ガイドローラを転動させることが可能となる。また、このガイドローラを有する扉は吊り下げ支持されるものである。そのため、扉の重量がガイドローラの転動を妨げることがない。このように、本構成に係る圧力調整ルームは、ガイドローラの転動により、シール部と扉との間の摩擦力を受けることなく、第一方向及び第二方向へ円滑に扉を移動させることができる。
【００１１】
また、前記第一ガイド部は、前記第一方向に沿って形成される第一ガイド壁を有し、前記第二ガイド部は、前記第二方向に傾斜して形成される第二ガイド壁を有すると好適である。
【００１２】
本構成によれば、ガイドローラが第一ガイド壁に沿って転動することで扉が第一方向へ確実に案内される。また、ガイドローラが第二ガイド壁に沿って転動することで扉が第二方向へ確実に案内される。すなわち、本構成に係る圧力調整ルームは、第一方向及び第二方向へ扉を確実に案内することができ、その結果、扉の正確な動作が実現可能となる。
【００１３】
また、前記扉は、前記室の内部に配置される内側扉と、前記室の外部に配置される外側扉と、を有し、前記内側扉と前記外側扉とは、変圧時において前記第二方向を移動する際に互いに同一側に移動するように構成されていると好適である。
【００１４】
本構成によれば、室の加圧時において室の内部から外部への圧力が作用する際には、内側扉及び外側扉の双方が第二方向における外側へ移動しつつ、内側扉のみがシール部を圧迫して室の密閉を果たす。一方で、室の減圧時において室の外部から内部への圧力が作用する際には、内側扉及び外側扉の双方が第二方向における内側へ移動しつつ、外側扉のみがシール部を圧迫して室の密閉を果たす。すなわち、本構成に係る圧力調整ルームは、室の加圧時及び減圧時においても確実に室を密閉することができる。
【００１５】
また、本開示に係る圧力調整ルームは、前記開口部の外周を覆う拘束部材を更に備えていると好適である。
【００１６】
室の変圧時には室の全体に圧力が掛かることになるが、特に、開口部には応力が集中するため変形し易くなる。本構成によれば、拘束部材によって開口部の外周が拘束されているので、室開口部の変形を規制する。従って、本構成に係る圧力調整ルームは、応力集中による開口部の変形を防止し、ひいては、当該変形に起因した圧力調整ルームの破損等を防止することができる。
【００１７】
本開示に係る圧力調整ルームは、各別に設けられたボンベを用いて酸素及び窒素を前記室内に充満させることにより前記室内を加圧するように構成されていると好適である。
【００１８】
本構成によれば、室内を加圧すると共に室内の酸素量と窒素量とを適宜調整可能である。すなわち、圧力調整ルームを身体の急回復などの治療用で用いる場合には、室内の酸素濃度を高めることが可能である。これにより使用者の体内中の酸素濃度を増加させて代謝を促し、疲労回復などの効果を得ることができる。また、大気中に含まれる酸素濃度及び窒素濃度と同じ濃度のまま室内を加圧することが可能である。これにより、加圧下における低負荷での筋力トレーニングなどを行うことができ、効率良く身体鍛錬を行うことができる。すなわち、本構成に係る圧力調整ルームは、治療用又は身体鍛錬用として好適に用いられることができる。
【００１９】
本開示に係る技術のさらなる特徴と利点は、図面を参照して記述する以下の例示的かつ非限定的な実施形態の説明によってより明確となる。
【図面の簡単な説明】
【００２０】
【図１】本実施形態に係る圧力調整ルームの斜視図である。
【図２】同圧力調整ルームを室内側から見た図である。
【図３】図２におけるＩＩＩ−ＩＩＩ断面図である。
【図４】本実施形態に係るガイド機構の説明図である。
【図５】第二実施形態に係る圧力調整ルームの要部断面図である。
【図６】第二実施形態に係る扉の断面図である。
【発明を実施するための形態】
【００２１】
以下、本実施形態に係る圧力調整ルーム１について図面に基づいて説明する。
【００２２】
［第一実施形態に係る圧力調整ルームの構成］
図１及び図２に示すように、圧力調整ルーム１は、使用者を内部に収容可能な室２と、室２の開口部２２の周囲に配置されるシール部３と、開口部２２を開放する開状態の位置ＯＰと開口部２２を塞ぐ閉状態の位置ＣＰとシール部３に密着して室２を密閉させる密閉状態の位置ＳＰ（図３、４も参照）との間を移動可能な扉４と、を備えている。圧力調整ルーム１は、室２の内部が変圧可能に構成されている。
【００２３】
室２は、本体部２１と、本体部２１に形成された開口部２２と、を有している。本体部２１は、変圧時における室２の内部の圧力を室２の全体に亘って均等に分散させるため、円筒箱状に形成されている。また、圧力調整ルーム１は、開口部２２の外周を覆う拘束部材８を更に備えている。拘束部材８は、帯状に形成されている。本実施形態では、このような拘束部材８が、一対設けられている。一対の拘束部材８のそれぞれは、開口部２２の両淵に沿って室２の外周全周に亘って設けられている。また、開口部２２の上下の両淵に沿って配置されると共に一対の拘束部材８を突っ張る補助部材が設けられている。これら拘束部材８及び拘束部材により、室２の変圧時に応力集中を受ける結果変形のし易い開口部２２の変形を規制することができる。そのため、変圧時における開口部２２の変形に起因した圧力調整ルーム１の破損等を防止することができる。拘束部材８としては、箍のような環状部材を用いることができる。拘束部材８は、金属製であると好適である。これにより、変圧時における圧力調整ルーム１の耐久性が向上する。
【００２４】
開口部２２は、圧力調整ルーム１の使用者が室２の内部に出入りできる程度の大きさに形成されている。また、開口部２２は、上下辺及び両側辺からなる長方形状に形成されている。詳細には、開口部２２は、円筒箱状の本体部２１に形成されているから、両側辺が室２の外側に湾曲した長方形状に形成されている。開口部２２が扉４によって塞がれることにより圧力調整ルーム１は閉状態となる。開口部２２が扉４により塞がれておらず開放しているときには、圧力調整ルーム１は開状態となる。なお、図２においては、視認上の便宜のため開口部２２が湾曲した形状を表しておらず、開口部２２の上部付近及び下部付近を垂直にした状態で表している。
【００２５】
図２に示すように、開口部２２の周囲には、シール部３が配置されている。本実施形態では、シール部３は、室２の内側において開口部２２の周囲全周に亘って形成されている。シール部３には、押圧により所定の縮み代で伸縮する弾性部材が用いられる。シール部３としては、例えば、天然ゴム、合成ゴム等を好適に用いることができる。
【００２６】
扉４は、室２の内側に取り付けられており、開口部２２を開放する開状態の位置ＯＰと、開口部２２を塞ぐ閉状態の位置ＣＰと、を移動可能に構成されている。本実施形態では、扉４は、スライド式であり、外側に外取手４２Ｏが、内側に内取手４２Ｉが、それぞれ設けられている（図１及び２参照）。扉４は、開口部２２を塞ぐものであるから、開口部２２の形状に対応して、中心部が外側に湾曲した長方形状に形成されている。なお、扉４は、開口部２２よりも充分大きく形成されている。ここで、「閉状態」とは、扉４が開口部２２の全体と重なっている状態を言うものとする。従って、扉４は開口部２２よりも充分大きく形成されているので、扉４は、閉状態を維持した状態で、ある程度の移動が可能となっている。
【００２７】
図２に示すように、圧力調整ルーム１は、開状態の位置ＯＰと閉状態の位置ＣＰとを繋ぐ経路に沿った第一方向Ａに扉４を移動させる第一スライド機構５を備えている。ここで、第一方向Ａは、図２中のＡで示す方向である。以下では、第一方向Ａにおける扉４が閉まる側を「第一方向閉側Ａ１」とし、扉４が開く側を「第一方向開側Ａ２」として説明する。第一スライド機構５は、室２の内部において扉４を支持しており、扉４を第一方向Ａに沿って移動させることができる。第一スライド機構５は、第一方向Ａに沿って延びるスライドレール５１と、当該スライドレール５１に外嵌してスライドレール５１に沿って移動するスライド体５２と、を有して構成されている。スライドレール５１は、取付ブラケット５６を介して本体部２１に取り付けられている（図３参照）。図示しないが、スライドレール５１とスライド体５２との間には、転動自在の複数の玉が介在されている。玉は、スライド体５２の内部においてスライドレール５１に沿って転動しつつ、スライド体の内部を循環するように構成されている。このため、第一スライド機構５は、スライド体５２の内部の玉の転動により、スライド体５２がスライドレール５１に沿ってスムーズに移動できるように構成されている。本実施形態では、スライド体５２は一対設けられ、これらスライド体５２は扉４の上部且つ第一方向Ａにおける両端部を支持している。すなわち、本実施形態では、一対のスライド体５２が扉４を両端部で支えているため、扉４の姿勢をスライドレール５１と平行に維持することができる。このため、扉４が第一方向Ａに対して傾くことがなく、第一スライド機構５は、扉４を第一方向Ａに沿って円滑に移動させることができる。
【００２８】
図３に示すように、圧力調整ルーム１は、閉状態の位置ＣＰと密閉状態の位置ＳＰとを繋ぐ経路に沿った第二方向Ｂに扉４を移動させる第二スライド機構６を備えている。ここで、第二方向Ｂは、図３中のＢで示す方向である。なお、第二方向Ｂとは、室２の内部空間の中心から径方向に延びる方向をいう。以下では、第二方向Ｂにおける室２の内部空間の中心側を「第二方向内側Ｂ２」とし、室２の内部空間の中心から外に向かう側を「第二方向外側Ｂ１」として説明する。本実施形態では、第二スライド機構６は、第一スライド機構５と一体的に設けられている。この第二スライド機構６は、扉４を直接的に吊り下げ支持している。前述の第一スライド機構５は、連結軸５３を有しており、この連結軸５３により第二スライド機構６と連結している。連結軸５３は、スライド体５２における第二方向内側Ｂ２の面から、第二方向内側Ｂ２に突出して形成されている。第二スライド機構６は、連結軸５３に外挿されると共に当該連結軸５３に沿ってスライド可能なスライド筒部６１を有している。スライド筒部６１が連結軸５３に沿ってスライドして第二方向内側Ｂ２に外れないように、連結軸５３の先端には、抜け止めのワッシャ５４が設けられている。スライド筒部６１は、第二方向外側Ｂ１の端部において、中板６２と連結している。図２に示すように、中板６２は、スライド筒部６１に対して下方に突出して設けられている。中板６２の下部には、扉連結部６３が設けられている。本実施形態では、扉連結部６３として、中板６２を貫通する３本のボルトを例に示している。図３に示すように、扉連結部６３は、第二方向外側Ｂ１の端部において、扉４と連結している。第二スライド機構６は、スライド筒部６１が第一スライド機構５の連結軸５３に沿って第二方向Ｂにスライドすると、これに伴い、スライド筒部６１と一体である中板６２、扉連結部６３及び扉４も第二方向Ｂにスライドするように構成されている。第二スライド機構６が第二方向外側Ｂ１へスライドした際に、中板６２が第一スライド機構５のスライド体５２に強く接触しないように、第一スライド機構５は、中板６２との間で且つ連結軸５３の基端に、緩衝板５５を有している。なお、図３では、扉４が後述する密閉状態の位置ＳＰにあるときを示しており、このとき扉４とシール部３とは接触しているが、扉４が密閉状態の位置ＳＰにないときには、扉４の自重により第二スライド機構６が第二方向内側Ｂ２へスライドした状態となる。これは、扉４が第二方向外側Ｂ１に向かって凸となる湾曲形状に形成されていることに起因して、扉４の自重が第二方向内側Ｂ２にかかることによるものである。すなわち、その場合には、扉４は第二スライド機構６により第二方向内側Ｂ２に移動して、扉４とシール部３とは非接触状態となる。
【００２９】
前述した扉４は、第一スライド機構５及び第二スライド機構６によって吊り下げ支持されると共に室２の内側の下部にガイドローラ４１を有している。本実施形態では、圧力調整ルーム１は、扉４を案内するガイド機構としてのガイドレール７を更に備えている。図２に示すように、ガイドレール７は、室２の内側における開口部２２の下方に設けられている。ガイドレール７は、第一方向Ａに沿って設けられ、図３及び図４に示すように、上部のみが開放した形状となっている。また、図４に示すように、ガイドレール７は、第一方向Ａに沿って形成されると共に扉４を第一方向Ａへ案内する第一ガイド部７１と、第二方向Ｂに突出して形成されると共に扉４を第二方向Ｂへ案内してシール部３に密着させる第二ガイド部７２と、を有している。更に、本実施形態では、図３に示すように、ガイドレール７は、ガイドローラ４１を挟んでシール部３とは反対側の位置にガイド壁７３を有している。本実施形態では、図３に示すように、ガイド壁７３は、ガイドレール７における第二方向内側Ｂ２に形成されている。また、ガイド壁７３は、ガイドレール７の底面に対して垂直に形成されている。また、ガイドローラ４１は、ガイドレール７の底面に対して垂直な回転軸を有している。このため、ガイドローラ４１は、ガイド壁７３に接触しつつ当該ガイド壁７３に沿って転動するように構成されている。前述したように、扉４は、自重により第二方向内側Ｂ２に付勢されている。そのため、扉４の下部に設けられたガイドローラ４１も、常に第二方向内側Ｂ２に付勢されている。ガイドローラ４１は、第二方向内側Ｂ２に付勢されることでガイドレール７における第二方向内側Ｂ２に形成されたガイド壁７３に常に接触する状態となるため、このガイド壁７３に沿って転動可能になっている。また、これにより、扉４が開状態の位置ＯＰに位置しているときには扉４とシール部３とは非接触状態となり、シール部３と接触することによる摩擦抵抗なく、扉４は円滑に移動することができる。このように、ガイドローラ４１を有する扉４は、ガイドレール７によって案内されることが可能な構成となっている。
【００３０】
図４に示すように、第一ガイド部７１は、第一方向Ａに沿って形成される第一ガイド壁７３Ａを有し、第二ガイド部７２は、第二方向Ｂに傾斜して形成される第二ガイド壁７３Ｂを有している。図４（ｂ）（ｂ´）に示すように、第一ガイド壁７３Ａは、第一ガイド部７１における第二方向内側Ｂ２に形成されている。第二ガイド壁７３Ｂは、第二ガイド部７２における第二方向内側Ｂ２に形成されている。本実施形態では、第二ガイド壁７３Ｂは、第二方向外側Ｂ１に向かって傾斜して形成されている。前述したように、ガイドローラ４１は、扉４の自重により第二方向内側Ｂ２に付勢されているため、第一ガイド部７１を通過しているときは第一ガイド壁７３Ａに沿って第一方向Ａに転動する。また、ガイドローラ４１は、第二ガイド部７２を通過しているときは第二ガイド壁７３Ｂによって第二方向外側Ｂ１へ押し込まれる状態で、第二ガイド壁７３Ｂに沿って転動する。本実施形態では、ガイドレール７は、第二方向外側Ｂ１でガイドレール７の底面に対して垂直に形成される外壁７４と、第一方向閉側Ａ１における端部でガイドレール７の底面に対して垂直に形成されるストッパ壁７５と、を有している。ストッパ壁７５により、ガイドローラ４１がストッパ壁７５を越えて第一方向閉側Ａ１へ移動するのを規制している。
【００３１】
ここで、図４は、ガイドローラ４１の動きと、第二スライド機構６及び扉４の動きと、の関連性を示す図である。図４（ａ）及び（ａ´）で示す図は、扉４の上部の断面図である。図４（ｂ）及び（ｂ´）で示す図は、扉４の下部を、ガイドローラ４１の回転軸方向から見た図である。図４（ａ）と図４（ｂ）とは、互いに対応した図である。また、図４（ａ´）と図４（ｂ´）とは、互いに対応した図である。図４（ｂ）に示すようにガイドローラ４１が第一ガイド部７１の位置にあるときは、図４（ａ）に示すように扉４は開口部２２を塞ぐ閉状態の位置ＣＰに位置しており、このとき扉４とシール部３とは非接触状態である。図４（ｂ´）に示すようにガイドローラ４１が第二ガイド部７２の位置にあるときは、図４（ａ´）に示すように扉４はシール部３と接触した密閉状態の位置ＳＰに位置している。
【００３２】
シール部３に密着した扉４は、変圧時の圧力変化によりシール部３を圧迫するように構成されている。本実施形態では、室２の内部の加圧時に、扉４がシール部３を第二方向外側Ｂ１に向かって圧迫するように構成されている。図４（ｂ´）に示すように、ガイドローラ４１が第二ガイド部７２の位置にあるとき、すなわち、扉４の密閉状態の位置ＳＰ（図４（ａ´）参照）に対応する位置にガイドローラ４１が位置しているとき、外壁７４とガイドローラ４１との間には、一定の隙間Ｇが形成される。この隙間Ｇが室２の内部の加圧時に扉４がシール部３を圧迫したときのシール部３の縮み代よりも大きくなるように、ガイドレール７に対するガイドローラ４１の大きさが調整されている。
【００３３】
［圧力調整ルームの動作］
次に、圧力調整ルーム１の動作について説明する。圧力調整ルーム１の使用者は、開口部２２から室２の内部に入り、開状態の位置ＯＰにある扉４を第一方向閉側Ａ１にスライドさせる。扉４は自重により第二方向内側Ｂ２に付勢された状態であるから、図４（ｂ）に示すように、ガイドローラ４１は第一ガイド壁７３Ａに接触しながら転動する。これにより、扉４は、第一ガイド部７１に案内されながら第一方向Ａに沿って第一方向閉側Ａ１に移動する。
【００３４】
扉４が第一方向Ａに沿って移動中に閉状態の位置ＣＰに位置すると、扉４と開口部２２とは完全に重なった状態となる。扉４は開口部２２よりも充分大きく形成されているため、開口部２２と完全に重なった状態の位置、すなわち、閉状態の位置ＣＰを維持しながら所定距離移動可能である。このとき、扉４とシール部３とは、未だ非接触状態である。
【００３５】
図４（ｂ´）に示すように、ガイドローラ４１が第二ガイド部７２に到達すると、ガイドローラ４１は第二ガイド壁７３Ｂに沿って転動する。第二ガイド壁７３Ｂは第二方向外側Ｂ１に向かって傾斜して形成されているため、ガイドローラ４１は第二ガイド壁７３Ｂによって第二方向外側Ｂ１へ押し込まれるかたちとなる。ガイドローラ４１が第二方向外側Ｂ１へ押し込まれることにより、図４（ａ´）に示すように、第二スライド機構６が機能して、扉４は自重に抗って第二方向外側Ｂ１に移動する。これにより、扉４が密閉状態の位置ＳＰに位置して、扉４とシール部３とが接触状態となる。このとき、扉４とシール部３とは接触状態にあるのみで、シール部３は扉４によっては圧迫されていない状態である。また、ガイドローラ４１とガイドレール７の外壁７４との間は、シール部３の縮み代よりも大きな隙間Ｇが空いている状態である。
【００３６】
次に、扉４がシール部３と接触する密閉状態の位置ＳＰに位置した状態から、室２の内部を加圧する。図３に示すように、室２の内部が加圧されると、室２の全体に加圧力Ｐｉが作用する。加圧力Ｐｉは、第二方向外側Ｂ１に向かって作用して、扉４を第二方向外側Ｂ１に押し込む。すると、自重により第二方向内側Ｂ２に付勢されていた扉４は、加圧力Ｐｉを受けて、シール部３の縮み代の分だけ第二方向外側Ｂ１にスライドする。そして、扉４は、接触状態にあったシール部３を第二方向外側Ｂ１に向かって押圧する。これにより、シール部３は、扉４により圧迫されて押し潰される。このとき、扉４は、シール部３を圧迫するために第二方向外側Ｂ１にスライドするわけであるが、室２の加圧前には、扉４の下部において、ガイドローラ４１とガイドレール７の外壁７４との間にはシール部３の縮み代よりも大きな隙間Ｇが形成されているので（図４（ｂ´）参照）、加圧時における扉４のスライドに支障をきたすことはない。シール部３が扉４に圧迫されて押し潰されることによって、扉４と室２の本体部２１とが強固にシールされ、室２の内部の空気が外部に漏れ出すことがない。圧力調整ルーム１の使用者は、この加圧下において、治療や身体鍛錬といった使用目的に応じて圧力調整ルーム１を活用することができる。
【００３７】
［室内の加圧］
以上では、室２の内部が加圧される圧力調整ルーム１について説明した。本実施形態では、圧力調整ルーム１は、各別に設けられたボンベを用いて酸素及び窒素を前記室内に充満させることにより前記室内を加圧するように構成されている。図示しないが、圧力調整ルーム１の室２の外部には、酸素ボンベ及び窒素ボンベが設置される。圧力調整ルーム１は、酸素ボンベ及び窒素ボンベと、室２の内部と、を連通する管などが設けられて構成される。そして、酸素ボンベ及び窒素ボンベのバルブを手動で開閉することにより、室２の内部の酸素量及び窒素量が調整される。このため、室２の外部に設置された酸素ボンベ及び窒素ボンベから室２の内部へ、酸素及び窒素を供給可能となる。また、室２の内部には、酸素濃度計若しくは窒素濃度計又は酸素濃度計及び窒素濃度計の双方が設置される。これにより、圧力調整ルーム１は、室２の内部の酸素濃度及び窒素濃度を調整しつつ、室２の内部の加圧が可能である。この調整は、自動制御により機械的に行われるものであっても良い。また、酸素ボンベ及び窒素ボンベは、室２の内部に設置されるものであっても良い。
【００３８】
一般に、身体の回復目的等で、高濃度の酸素を体内に取り入れることは既に知られている。また、酸素の摂取と室内の加圧により、より回復効果が得られることも既に知られている。しかし、酸素の過剰摂取は、酸素中毒等を引き起こす要因となり人体に悪影響を及ぼす場合がある。そのため、室内の酸素濃度が高くなり過ぎた場合には、室内の空気を外部へ排出することがある。この場合には、空気の排出により室内の加圧状態を維持することができない。しかし、本実施形態では、圧力調整ルーム１は、酸素のみならず、窒素を室２内に充満させることで室２内を加圧するように構成されている。そのため、室２内の酸素濃度が高くなり過ぎた場合に、室２内の空気を排出するときでも、同時に窒素を室２内に供給して室２内の加圧状態を維持することができる。
【００３９】
［第二実施形態に係る圧力調整ルームの構成］
以下、第二実施形態に係る圧力調整ルームについて説明する。なお、第二実施形態について特に説明しない点については、第一実施形態と同様である。
【００４０】
図５（ａ）に示すように、第二実施形態では、扉４は、室２の内部に配置される内側扉４２と、室２の外部に配置される外側扉４３と、を有している。すなわち、扉４は、二重構造となっている。なお、内側扉４２及び外側扉４３のそれぞれは、第一実施形態に係る扉４と同一の構造である。すなわち、第二実施形態では、第一スライド機構５、第二スライド機構６、ガイド機構としてのガイドレール７（図示省略）は、室２の内側及び外側の双方に設けられている。また、図５（ａ）に示すように、シール部３も室２の内側及び外側の双方に設けられている。すなわち、室２の内側における開口部２２の周囲には、内側シール部３Ｉが配置される。室２の外側における開口部２２の周囲には、外側シール部３Ｏが配置される。なお、常圧時において、内側扉４２は、内側シール部３Ｉを圧迫しないように、自重により第二方向内側Ｂ２に付勢されるように構成されている。同様に、外側扉４３についても第二方向内側Ｂ２に自重が作用するようになっている。そのため、常圧時において外側扉４３が外側シール部３Ｏを圧迫しないように、外側扉４３には、外側扉４３を第二方向外側Ｂ１に付勢するコイルバネ５７が設けられる。このコイルバネ５７が、外側扉４３の自重に抗って外側扉４３を第二方向外側Ｂ１に付勢することで、常圧時において外側扉４３が外側シール部３Ｏを圧迫しないように構成されている。本実施形態では、コイルバネ５７は、連結軸５３に外嵌されつつ中板６２と緩衝板５５との間に設けられている。また、このようなコイルバネ５７として圧縮コイルバネを用いている。なお、コイルバネ５７を省略して、外側扉４３を吊り下げ支持する第二スライド機構６を第二方向外側Ｂ１の下方に傾斜させても良い。その場合には、外側扉４３は、自重により第二方向外側Ｂ１に付勢されることになる。
【００４１】
内側扉４２と外側扉４３とは、変圧時において第二方向Ｂを移動する際に互いに同一側に移動するように構成されている。本実施形態では、内側扉４２と外側扉４３とは、室２の内部の加圧時において第二方向外側Ｂ１に移動するように構成されている。図５（ｂ）に示すように、室２が加圧されると、第二方向外側Ｂ１に向かって加圧力Ｐｉが作用する。加圧力Ｐｉは、内側扉４２及び外側扉４３を第二方向外側Ｂ１に押し込むように作用し、内側扉４２及び外側扉４３は、第二方向外側Ｂ１にスライドする。そのため、内側シール部３Ｉは、内側扉４２によって第二方向外側Ｂ１に圧迫されて押し潰される。これにより、内側扉４２と室２の本体部２１とが強固にシールされ、室２の内部の空気が外部に漏れ出すことがない。
【００４２】
本実施形態では、内側扉４２と外側扉４３とは、室２の減圧時において第二方向内側Ｂ２に移動するように構成されている。図５（ｃ）に示すように、室２が減圧されると、第二方向内側Ｂ２に向かって減圧力Ｐｄが作用する。減圧力Ｐｄは、内側扉４２及び外側扉４３を第二方向内側Ｂ２に引っ張るように作用し、内側扉４２及び外側扉４３は、第二方向内側Ｂ２にスライドする。そのため、外側シール部３Ｏは、外側扉４３によって第二方向内側Ｂ２に圧迫されて押し潰される。これにより、外側扉４３と室２の本体部２１とが強固にシールされ、室２の外部の空気が内部に入り込むことがない。
【００４３】
このように、第二実施形態に係る圧力調整ルームは、室２の内部の加圧時及び減圧時においても確実に室２を密閉することができる。ここで、第二実施形態は二重扉に構成されているため、内側扉４２と外側扉４３とが、シール部３及び本体部２１を挟んで互いに対向した状態に配置されている。そのため、内側扉４２及び外側扉４３における対向側の面には、第一実施形態のように突出する取手２３を設けることができない。そのため、図６に示すように、第二実施形態では、内側扉４２及び外側扉４３における互いに対向する面に、当該対向側とは反対側に湾曲する凹部４４が設けられている。すなわち、内側扉４２における第二方向外側Ｂ１の面には、内凹部４４Ｉが設けられている。外側扉４３における第二方向内側Ｂ２の面には、外凹部４４Ｏが設けられている。そして、内凹部４４Ｉには、内側扉４２を開閉するための内凹部取手４５Ｉが取り付けられている。また、外凹部４４Ｏには、外側扉４３を開閉するための外凹部取手４５Ｏが取り付けられている。この構成により、取手と扉とを干渉させることなく、内側扉４２及び外側扉４３をスライドさせることができる。なお、内凹部取手４５Ｉ又は外凹部取手４５Ｏとしては、レバータイプやつまみタイプなど、種々の形式を用いることができる。また、凹部４４の形状を、使用者が手で掴み易いような形状とすることもできる。この場合には、凹部４４に取手を設けなくても良い。
【００４４】
［その他の実施形態］
（１）上記の各実施形態では、第一スライド機構５は、第一方向Ａに沿って延びるスライドレール５１と、当該スライドレール５１に外挿されてスライドレール５１に沿って移動するスライド体５２と、を有して構成されており、スライドレール５１とスライド体５２との間に介在された転動自在の複数の玉が、スライド体５２の内部においてスライドレール５１に沿って転動しつつ、スライド体の内部を循環するように構成されている例について説明した。しかし、第一スライド機構５は、そのような構成に限られず、扉４を第一方向Ａに移動させ得るように構成されていれば良い。例えば、第一スライド機構５は、レールと、このレール上を転動するローラと、を含んで構成されていても良い。
【００４５】
（２）上記第一の実施形態では、扉４が、室２の内側に取り付けられて構成されている例について説明した。しかし、扉４は、室２の外側に取り付けられていても良い。この場合には、第一スライド機構５、第二スライド機構６、ガイド機構としてのガイドレール７及びシール部３は、室２の外側に設けられる。そして、扉４は、室２の減圧時においてシール部３を第二方向内側Ｂ２に向かって押圧する。本構成によれば、圧力調整ルーム１を減圧用として好適に用いることができる。
【００４６】
（３）上記の各実施形態では、ガイド機構がガイドレール７として構成された例について説明した。しかし、ガイド機構は、そのような構成に限られず、ガイドレール７はなくても良い。この場合には、第一方向Ａに沿って移動してくるガイドローラ４１を第二方向Ｂに押し出す突起部などをガイド機構として設けることができる。詳細には、ガイドローラ４１が第一方向Ａに沿って移動する軌道上から僅かに第二方向内側Ｂ２にずれた位置に、突起部を配置する。このような構成であると、第一方向Ａを移動してくるガイドローラ４１が突起部に接触することにより、ガイドローラ４１は第二方向外側Ｂ１に押し出されることになる。従って、突起部により扉４を第二方向Ｂに案内することができる。
【００４７】
（４）上記の各実施形態では、扉４が吊り下げ支持されて構成された例について説明した。しかし、そのような構成に限られず、扉４は吊り下げ支持されていなくても良い。この場合には、回転軸を持つガイドローラ４１の代わりにフリーベアリングを設けて、このフリーベアリングがガイドレール７の底面上を転動するように構成することができる。この構成によれば、フリーベアリングはガイドレール７上を第一方向Ａ及び第二方向Ｂに転動自在であるため、ガイドレール７は扉４を第一方向Ａ及び第二方向Ｂに案内することができる。それだけでなく、本構成によれば、扉４が吊り下げ支持されないから、扉４を支持する第一スライド機構５及び第二スライド機構６の負担を軽減することができる。
【００４８】
（５）上記の各実施形態では、扉４は、その中心部が外側に湾曲した長方形状に形成されて構成された例について説明した。しかし、そのような構成に限られず、室２の本体部２１における開口部２２が形成された壁が、平らである場合は、扉４は、平板状に形成されていても良い。この場合には、扉４の自重は鉛直下方に作用することとなり、常圧時では、扉４の自重により扉４が第二方向内側Ｂ２へスライドすることがない。そこで、本構成では、扉４を第二方向内側Ｂ２へ付勢するバネ体が、第一スライド機構５又は第二スライド機構６に設けられる。バネ体として、例えば圧縮コイルバネを用いる場合には、第一スライド機構５の連結軸５３に圧縮コイルバネを外嵌し、圧縮コイルバネにおける第二方向外側Ｂ１の端部に第一スライド機構５の緩衝板５５が接触し且つ圧縮コイルバネにおける第二方向内側Ｂ２の端部が第二スライド機構６の中板６２に接触するように配置する。本構成によれば、常圧時において、圧縮コイルバネにより扉４を第二方向内側Ｂ２に付勢して、第二方向内側Ｂ２にスライドさせておくことができる。この場合、加圧時における加圧力Ｐｉが圧縮コイルバネの押し出し力よりも大きくなると、扉４は第二方向外側Ｂ１にスライドしてシール部３を圧迫する。なお、バネ体としては、板バネ、ねじりコイルバネ、引っ張りコイルバネ等、種々のバネを用いることができる。
【００４９】
（６）その他、扉４が密閉状態の位置ＳＰに位置しているときに、クランプ等の締結具により扉４を締結するように構成されていても良い。本構成によれば、扉４の第一方向Ａの動きを規制して、室２の変圧時に扉４が第一方向Ａに動くことがないようにできる。そのため、室２を安全に変圧することができる。
【００５０】
（７）その他、緊急時に開く安全弁が、室２の本体部２１に設けられていても良い。本構成によれば、圧力調整ルーム１の使用中に使用者の容態が悪くなった場合などの緊急時には、安全弁が開くことにより、室２の内部と外部とを連通させて、室２の内部を常圧下にすることができる。
【００５１】
（８）上記の各実施形態は単なる例示に過ぎず、本発明は上記の各実施形態に限定されるものではなく、その要旨を逸脱しない範囲で種々変更可能である。上記の各実施形態は、矛盾の生じない範囲で組み合わすことができる。
【符号の説明】
【００５２】
１      ：圧力調整ルーム
２      ：室
３      ：シール部
３Ｉ    ：内側シール部
３Ｏ    ：外側シール部
４      ：扉
５      ：第一スライド機構
６      ：第二スライド機構
７      ：ガイドレール（ガイド機構）
８      ：拘束部材
１４    ：シール体
２２    ：開口部
４１    ：ガイドローラ
４２    ：内側扉
４３    ：外側扉
７１    ：第一ガイド部
７２    ：第二ガイド部
７３    ：ガイド壁
７３Ａ  ：第一ガイド壁
７３Ｂ  ：第二ガイド壁
Ａ      ：第一方向
Ａ１    ：第一方向閉側
Ａ２    ：第一方向開側
Ｂ      ：第二方向
Ｂ１    ：第二方向外側
Ｂ２    ：第二方向内側
【図１】
2018003281.tif 000003
【図２】
2018003281.tif 000004
【図３】
2018003281.tif 000005
【図４】
2018003281.tif 000006
【図５】
2018003281.tif 000007
【図６】
2018003281.tif 000008